(57)【特許請求の範囲】
【請求項１】
上面を備える筐体と、
前記筐体内に位置する複数の導電性要素および非導電性要素と、
送信アンテナから無線で電力を受け取るように構成されている受信アンテナと、
を具備し、
前記受信アンテナは、前記筐体内に位置するループ導電体を備え、前記ループ導電体は、空スペースと前記非導電性要素との組み合せを具備する隙間によって、前記筐体内の各導電性要素から離されており、前記空スペースと前記非導電性要素の各々は、前記ループ導電体の同じ面に隣接して位置し、前記非導電性要素は、前記筐体の前記上面に対して前記ループ導電体よりも上または下に位置し、
ここにおいて、前記隙間は、前記筐体内に前記ループ導電体を置く前に測定される前記受信アンテナのＱ値が、前記筐体内に前記ループ導電体を置いた後に測定される前記受信アンテナの前記Ｑ値の４倍を超えないように、決定される、
電子デバイス。
【請求項２】
前記受信アンテナが、１回巻きループ導電体および多巻きループ導電体の一方を具備する、
請求項１の電子デバイス。
【請求項３】
前記受信アンテナが、充電可能バッテリから離されて構成されている、
請求項１の電子デバイス。
【請求項４】
前記筐体内に前記ループ導電体を置く前に測定される前記受信アンテナの前記Ｑ値は、前記筐体内に前記ループ導電体を置いた後に測定される前記受信アンテナの前記Ｑ値より少なくとも２倍大きい、
請求項１の電子デバイス。
【請求項５】
前記筐体内に前記ループ導電体を置く前に測定される前記受信アンテナの前記Ｑ値は、前記筐体内に前記ループ導電体を置いた後に測定される前記受信アンテナの前記Ｑ値より少なくとも２倍大きいが４倍を超えない、
請求項１の電子デバイス。
【請求項６】
前記受信アンテナが、各導電性要素から少なくとも１ミリメートル離されている、
請求項１の電子デバイス。
【請求項７】
上面を備える筐体と、
前記筐体内に位置する複数の導電性要素および非導電性要素と、
送信アンテナから無線で電力を受け取るように構成されている受信アンテナと、
を具備し、
前記受信アンテナは前記筐体内に位置するループ導電体を有し、前記ループ導電体は、空スペースと前記非導電性要素との組み合せを具備する隙間によって、前記筐体内の各導電性要素から離されており、前記空スペースと前記非導電性要素の各々は、前記ループ導電体の同じ面に隣接して位置し、前記非導電性要素は、前記筐体の前記上面に対して前記ループ導電体よりも上または下に位置し、
ここにおいて、前記隙間は、前記筐体中への前記受信アンテナの統合の前に測定される前記受信アンテナのＱ値が、前記筐体中への前記受信アンテナの統合の後に測定される前記受信アンテナの前記Ｑ値の４倍を超えないように、決定される、
装置。
【請求項８】
電磁界が、前記非導電性要素内に存在する、
請求項７の装置。
【請求項９】
電子デバイス中に受信アンテナを統合する方法であって、
複数の導電性要素および非導電性要素を具備する筐体内に前記受信アンテナのループ導電体を配置することと、前記非導電性要素は、前記ループ導電体が、空スペースと前記非導電性要素との組み合せを具備する隙間によって、各導電性要素から離されるように、および前記空スペースと前記非導電性要素の各々は、前記ループ導電体の同じ面に隣接して位置するように、前記筐体の上面に対して前記ループ導電体よりも上または下に位置し、ここにおいて、前記隙間は、前記筐体内に前記ループ導電体を配置する前に測定される前記受信アンテナのＱ値が、前記筐体内に前記ループ導電体を配置した後に測定される前記受信アンテナの前記Ｑ値の４倍を超えないように、決定される、
前記受信アンテナの前記ループ導電体の周囲における電磁界の形成させることと、
を具備する、方法。
【請求項１０】
前記ループ導電体を各導電性要素から離すことをさらに具備する、
請求項９の方法。
【請求項１１】
前記筐体内に前記ループ導電体を置く前に測定される前記受信アンテナの前記Ｑ値は、前記筐体内に前記ループ導電体を置いた後に測定される前記受信アンテナの前記Ｑ値より少なくとも２倍大きい、
請求項９の方法。
【請求項１２】
前記ループ導電体を各導電性要素から離すことが、前記ループ導電体を充電可能バッテリから１〜２ミリメートルの間で離すことを具備する、
請求項９の方法。
【請求項１３】
前記ループ導電体の全周囲において前記電磁界を形成させることをさらに具備する、
請求項９の方法。
【請求項１４】
電子デバイスを充電する方法であって、
ループ導電体を有する受信アンテナにおいて無線で電力を受け取ることと、前記ループ導電体は、空スペースと非導電性要素との組み合せを具備する隙間によって、複数の導電性要素の各導電性要素から離されており、前記空スペースと前記非導電性要素の各々は、前記ループ導電体の同じ面に隣接して位置し、前記非導電性要素は、筐体の上面に対して前記ループ導電体よりも上または下に位置し、
ここにおいて、前記隙間は、前記電子デバイス内に前記ループ導電体を置く前に測定される前記受信アンテナのＱ値が、前記電子デバイス内に前記ループ導電体を置いた後に測定される前記受信アンテナの前記Ｑ値の４倍を超えないように、決定され、
前記受信アンテナからそれに結合されている充電可能バッテリに電力を伝送することと、
を具備する、方法。
【請求項１５】
前記電子デバイス内に前記ループ導電体を置く前に測定される前記受信アンテナの前記Ｑ値は、前記電子デバイス内に前記ループ導電体を置いた後に測定される前記受信アンテナの前記Ｑ値より少なくとも２倍大きい、
請求項１４の方法。
【請求項１６】
充電可能デバイスの充電を容易にする装置であって、
筐体内に位置する複数の導電性要素および非導電性要素と、
無線で電力を受け取る手段と、前記電力を受け取る手段は、前記筐体内に位置し、空スペースと前記非導電性要素との組み合せを具備する隙間によって、各導電性要素から離されており、前記空スペースと前記非導電性要素の各々は、前記電力を受け取る手段の同じ面に隣接して位置し、前記非導電性要素は、前記筐体の上面に対して前記電力を受け取る手段よりも上または下に位置し、
ここにおいて、前記隙間は、前記筐体内に前記電力を受け取る手段を置く前に測定される前記電力を受け取る手段のＱ値が、前記筐体内に前記電力を受け取る手段を置いた後に測定される前記電力を受け取る手段の前記Ｑ値の４倍を超えないように、決定される、
前記電力を受け取る手段からそれに結合されている充電可能バッテリに電力を伝送するための手段と、
を具備する、装置。
【請求項１７】
上面を備える筐体と、
前記筐体内に位置する複数の導電性要素および非導電性要素と、
送信アンテナから無線で電力を受け取るように構成されている受信アンテナと、
を具備し、
前記受信アンテナは、ループ導電体を備え、前記ループ導電体は、空スペースと前記非導電性要素との組み合せを具備する隙間によって、前記筐体内の各導電性要素から離されており、前記空スペースと前記非導電性要素の各々は、前記ループ導電体の同じ面に隣接して位置し、前記非導電性要素は、前記筐体の前記上面に対して前記ループ導電体よりも上または下に位置し、
ここにおいて、前記隙間は、前記筐体内に前記ループ導電体を置く前に測定される前記受信アンテナのＱ値が、前記筐体内に前記ループ導電体を置いたことに応じて測定される前記受信アンテナの前記Ｑ値より少なくとも２倍大きいが４倍を超えないように、決定される、システム。
【請求項１８】
前記ループ導電体が、それに最も近い導電性要素から１〜２ミリメートル離されている、
請求項１７のシステム。
【請求項１９】
前記受信アンテナは、前記ループ導電体の全周囲において電磁界を形成するために前記筐体内に置かれている、
請求項１７のシステム。
【発明の詳細な説明】
【米国連邦法規集第３５編第１１９条による利益の主張】
【０００１】
この出願は、２００８年９月８日に出願された「INTEGRATION OF WIRELESS CHARGING ANTENNAS INTO MOBILE DEVICES」と題された米国仮出願６１／０９５，２６４３５の第１１９条（ｅ）の下の優先権を要求する。その開示の全体は、参照によって本明細書に取り込まれる。
【技術分野】
【０００２】
本発明は、概して無線充電に関し、より具体的には電子デバイス中への統合に向けて構成されている無線受信アンテナに関する装置、システム、および方法に関する。
【背景技術】
【０００３】
典型的には、無線電子デバイスのような電力供給される装置は各々、自身の有線の充電器および電源（これは通常、交流（ＡＣ）電力コンセントである）を必要とする。そのような有線の構成は、多くの装置が充電を必要とする場合、使いにくくなる。
【０００４】
送信器と充電される電子デバイスに結合されている受信器との間の無線経由または無線送電を使用するアプローチが開発されている。受信アンテナは放射された電力を集めて、これを、装置に電力供給するためまたは装置のバッテリを充電するのに使用可能な電力に整流する。
【０００５】
無線エネルギー伝送は、電力供給または充電されるホスト電子デバイスに埋め込まれている、送信アンテナ、無線受信アンテナ、および整流回路を結合することに基づき得る。無線充電における重要な要素は、無線受信アンテナは電子デバイス内に組み込まれ得る無線受信アンテナのＱ値（quality factor）である。無線受信アンテナのＱ値は、無線受信アンテナの近くに存在する磁界によって影響され得る。無線受信アンテナに加えて、電子デバイスは様々な導電性の構成要素（コンポーネント、部品、component）を含み得る。導電性構成要素は、関連する無線受信アンテナの性能に悪影響を及ぼし得る。具体的には、導電性構成要素は、無線受信アンテナに隣接して存在する磁界の振る舞いに悪影響を与え得る。そこで、統合された（一体化された、integrated）受信アンテナを有しかつ統合された受信アンテナのＱ値およびインダクタンスを向上するように構成されている電子デバイスを提供する必要性がある。
【図面の簡単な説明】
【０００６】
【図１】無線送電方式の簡略化されたブロック図を図示している。
【図２】無線送電方式の簡略化された概略図を図示している。
【図３】例示的な実施形態に従った、ループ・アンテナの概略図を図示している。
【図４】例示的な実施形態に従った、受信器の簡略化されたブロック図である。
【図５】例示的な実施形態に従った、少なくとも１つの受信アンテナを含んだ電子デバイスの簡略化された断面図である。
【図６】例示的な実施形態に従った、少なくとも１つの受信アンテナを含んだ別の電子デバイスの簡略化された断面図である。
【図７】例示的な実施形態に従った、少なくとも１つの受信アンテナを含んださらに別の電子デバイスの簡略化された断面図である。
【図８】例示的な実施形態に従った、少なくとも１つの受信アンテナを含んだ電子デバイスの断面図である。
【図９】例示的な実施形態に従った、少なくとも１つの受信アンテナを含んだ別の電子デバイスの断面図である。
【図１０】例示的な実施形態に従った、少なくとも１つの受信アンテナを含んだ電子デバイスの簡略化された平面図である。
【図１１】例示的な実施形態に従った、少なくとも１つの受信アンテナを含んだ別の電子デバイスの簡略化された平面図である。
【図１２】例示的な実施形態に従った、少なくとも１つの受信アンテナを含んだ電子デバイスを描いている。
【図１３】図１２の電子デバイスを描く別の図である。
【図１４】例示的な実施形態に従った、導電性構成要素から離されている統合された受信アンテナのループ導電体を有する電子デバイスを図示している。
【図１５】例示的な実施形態に従った、無線受信アンテナを電子デバイス中に統合する方法のフローチャートを図示している。
【図１６】例示的な実施形態に従った、電子デバイスを充電する方法のフローチャートを図示している。
【図１７Ａ】例示的な実施形態に従った、１回巻きループ導電体受信アンテナを描いている。
【図１７Ｂ】例示的な実施形態に従った、１回巻きループ導電体受信アンテナを描いている。
【図１８Ａ】例示的な実施形態に従った、多巻きループ導電体受信アンテナを描いている。
【図１８Ｂ】例示的な実施形態に従った、多巻きループ導電体受信アンテナを描いている。
【詳細な説明】
【０００７】
「例示的」という文言は、「例、実例、または例証として役立つ」ことを意味するために本明細書において使用されている。「例示的」と本明細書において記述されている実施形態はいずれも、好ましいもの、または他の実施形態よりも有利なものとして必ずしも解釈されるべきではない。
【０００８】
添付図面との関連で以下に記述されている詳細な説明は、例示的な実施形態の記述であることを意図されており、本発明を実行されることが可能な唯一の実施形態を表わすことを意図されていない。この記述の全体にわたって使用されている文言「例示的」は、「例、実例、または例証として役立つ」ことを意味し、必ずしも好ましいものまたは他の例示的な実施形態よりも有利なものとして解釈されるべきではない。詳細な説明は、発明の例示的な実施形態についての十分な理解をもたらす目的で諸詳細事項を含んでいる。発明の例示的な実施形態がこれらの詳細事項無しで実行され得ることは当業者にとって明らかだろう。いくつかの事例では、周知の構造および装置は本明細書において示されている例示的な実施形態の新規性を不明瞭にしないようにするためにブロック図の形態で示されている。
【０００９】
文言「無線電力（wireless power）」は、電界、磁界、電磁界に関連するエネルギーの任意の形態、または送信器から物理的な電磁気導電体を使用することなく受信器に送信されるエネルギーの任意の形態を意味するために本明細書において使用されている。システム中での電力変換は、例えば携帯電話、コードレス電話機、ｉＰｏｄ、ＭＰ３プレーヤー、ヘッドセットなどを含む装置を無線充電するために本明細書において記述されている。
【００１０】
概括的には、無線エネルギー伝送の１つの根本原理は、（例えば３０ＭＨｚ未満の）周波数を使用した磁気結合共振（共鳴）（すなわち共振（共鳴）誘導）を含んでいる。しかしながら、例えば１３５ｋＨｚ未満（ＬＦ）または１３．５６ＭＨｚ（ＨＦ）での比較的高い放射レベルでのライセンス免除された動作が許可されている周波数を含む様々な周波数が使用され得る。無線周波数識別子（ＲＦＩＤ）システムによって通常使用されるこれらの周波数では、システムは、ヨーロッパでのEN 300330またはアメリカでのFCC Part 15基準のような、干渉波および安全基準に従わなければならない。限定ではなく例証として、省略形ＬＦおよびＨＦが本明細書において使用されており、「ＬＦ」はｆ０＝１３５ｋＨｚを指し、「ＨＦ」はｆ０＝１３．５６ＭＨｚを指す。
【００１１】
図１は様々な例示的な実施形態に従った、無線送電システム１００を図示している。入力電源１０２は、エネルギー伝送をもたらすための磁界１０６を生成するための送信器１０４に提供される。受信器１０８は磁界１０６に結合しており、出力電力１１０を生成する。出力電力１１０は、出力電力１１０に結合されている装置（図示せず）による保存または消費ためのものである。送信器１０４および受信器１０８はともに、距離１１２によって離されている。一例示的実施形態では、送信器１０４および受信器１０８は相互共振（共鳴）関係に従って構成されており、受信器１０８の共振（共鳴）振動数と送信器１０４の共振振動数とが一致している場合、受信器１０８が磁界１０６の「近距離場（near-field）」に位置していると送信器１０４と受信器１０８との間の送信損は最小である。
【００１２】
送信器１０４は、さらに、エネルギー送信のための手段を提供するために送信アンテナ１１４を含んでおり、受信器１０８は、さらに、エネルギー受信または結合のための手段を提供するために受信アンテナ１１８を含んでいる。送信および受信アンテナは、自身と関連する適用形態（application）および装置に従った大きさとされている。上記のように、効率的なエネルギー伝送は、電磁波中のほとんどのエネルギーを遠距離（far-field）場に伝播するのではなく送信アンテナの近距離場内にあるエネルギーの大部分を受信アンテナに結合することによって起こる。この近距離場にあると、送信アンテナ１１４と受信アンテナ１１８との間で結合が確立され得る。この近距離場結合が起こり得るアンテナ１１４および１１８の周囲の領域は、本明細書では結合モード領域と称される。
【００１３】
図２は、無線送電システムの簡略化された概略図を示している。入力電源１０２によって駆動される送信器１０４は、発振器１２２と、電力増幅器１２４と、フィルタおよび整合回路１２６と、を含んでいる。発振器は、所望の周波数を生成するように構成されている。この周波数は調整信号１２３に応じて調整され得る。発振器信号は、電力増幅器１２４によって、制御信号１２５に応じた増幅量で増幅され得る。フィルタおよび整合回路１２６は、高調波または他の不要な周波数を濾波により除去しかつ送信器１０４のインピーダンスを送信アンテナ１１４に整合させるために含まれ得る。
【００１４】
受信器１０８は、整合回路１３２と、図２に示されているようなバッテリ１３６を充電するかまたは受信器に結合されている装置（図示せず）に電力供給するためのＤＣ電力出力を生成するための整流器および切替え回路１３４と、を含み得る。整合回路１３２は、受信器１０８のインピーダンスを受信アンテナ１１８に整合するために含まれ得る。
【００１５】
図３に図示されているように、例示的実施形態において使用されるアンテナは「ループ」アンテナ１５０として構成され得る。ループ・アンテナ１５０は、本明細書において、「磁気（磁界）」アンテナ、「共振」アンテナ、または「磁気共振」アンテナとも称され得る。ループ・アンテナは、空芯またはフェライト・コアのような物理的なコアを含んでいるように構成され得る。さらに、空芯ループ・アンテナは、コア領域中での他の構成要素の配置を可能にする。また、空芯ループは、送信アンテナ１１４（図２）の平面内に受信アンテナ１１８（図２）を配置することをより簡単に可能にし得、送信アンテナ１１４（図２）の結合モード（結合されているモード）領域がより効果的であり得る。
【００１６】
上記のように、送信器１０４と受信器１０８との間の効率的なエネルギー伝送は、送信器１０４と受信器１０８との間での一致またはほぼ一致した共振の際に起こる。しかしながら、送信器と受信器１０８との間の共振が一致しない場合でも、エネルギーはより低い効率で伝送され得る。エネルギー伝送は、送信アンテナの近距離場からのエネルギーを、送信アンテナからのエネルギーを空きスペースへと伝播するのではなくこの近距離場が確立されている近隣に位置する受信アンテナに結合することによって起こり得る。
【００１７】
ループ・アンテナの共振振動数はインダクタンスとキャパシタンスに基づく。ループ・アンテナ中のインダクタンスは普通はループによって形成されたインダクタンスであるが、所望の共振振動数で共振する構造を形成するために普通はキャパシタンスがループ・アンテナのインダクタンスに加えられる。非制限的な例として、シヌソイドまたは疑似シヌソイド信号１５６を生成する共振回路を形成するために、キャパシタ１５２およびキャパシタ１５４がアンテナに加えられ得る。したがって、より大きな直径のループ・アンテナについては、共振を誘起するために必要とされるキャパシタンスの大きさは、ループの直径またはインダクタンスが増加するにつれて減少する。さらに、ループ・アンテナの直径が増加するにつれて、「近傍」結合されている装置にとっての、近距離場の効率的なエネルギー伝送面積は増加する。もちろん、他の共振回路が可能である。別の非制限的な例として、キャパシタはループ・アンテナの２つの端子の間に並列に配置され得る。また、当業者は、送信アンテナにとって共振信号１５６がループ・アンテナ１５０への入力であり得ることを認識するだろう。
【００１８】
本発明の例示的な実施形態は、相互に近距離場内にある２つのアンテナの間で電力を結合することを含んでいる。上記のように、近距離場は、電磁界が存在はするがアンテナから離れる方向に伝搬または放射しないアンテナ周囲の領域である。近距離場は、典型的には、アンテナの物理的体積に近い体積に制限される。発明の例示的な実施形態では、１回巻または多巻きループ・アンテナのようなアンテナが送信（Ｔｘ）および受信（Ｒｘ）アンテナ・システムの両方のために使用される。なぜなら、恐らくアンテナ周囲のほとんどの環境は、誘電性であって、したがって電界と比較して磁界に対して有する影響がより少ないからである。さらに、支配的に「電気的」アンテナ（例えばダイポールおよびモノポール）として構成されているアンテナまたは磁気的アンテナおよび電気的アンテナの組合せも企図されている。
【００１９】
Ｔｘアンテナは、十分に低い周波数で、かつ上記の遠距離場およびインダクタンス・アプローチで可能なものよりも著しく大きな距離で小さなＲｘアンテナへの良好な結合効率（例えば＞１０％）を達成するのに十分な大きさのアンテナ・サイズによって動作させられることが可能である。Ｔｘアンテナが適切な大きさにされていれば、ホスト装置上のＲｘアンテナが、駆動されているＴｘループ・アンテナの結合モード領域内に（すなわち近距離場または強く結合されている形で）位置すると、高い結合効率（例えば３０％）が達成されることが可能である。
【００２０】
図４は実施形態に従った受信器のブロック図である。受信器３００は受信回路３０２および受信アンテナ３０４を含んでいる。受信器３００は、さらに、受信電力を提供するために装置３５０に結合している。受信器３００は、装置３５０の外側にあることとして図示されているが、装置３５０中に統合され得ることに注意されたい。大まかには、エネルギーは、受信アンテナ３０４に無線で伝播され、次いで受信回路３０２によって装置３５０に結合される。
【００２１】
受信アンテナ３０４は送信アンテナ２０４（図１０）と同じ周波数で、またはこの同じ周波数の近くで共振するように同調させられる。受信アンテナ３０４は、送信アンテナ２０４と同様の寸法にされ、または関連する装置３５０の寸法に基づいて、別の大きさにされ得る。例として、装置３５０は、送信アンテナ２０４の長さまたは直径より小さな直径（diametric）または長さ寸法を有する携帯電子デバイスであり得る。そのような例では、受信アンテナ３０４は同調キャパシタ（図示せず）のキャパシタンス値を減じかつ受信アンテナのインピーダンスを上げるために多巻きアンテナとして実現され得る。例として、受信アンテナ３０４は、アンテナ直径を最大限にしかつ受信アンテナのループ数（すなわち巻数）および巻き間（inter-winding、ループ間）キャパシタンスを減らすために装置３５０の実質的な円周の周囲（around）に配置され得る。
【００２２】
受信回路３０２は受信アンテナ３０４に対するインピーダンス整合をもたらす。受信回路３０２は、受け取られたＲＦエネルギー源を装置３５０による使用のために充電電源に変換するための電力変換回路３０６を含んでいる。電力変換回路３０６は、ＲＦから直流へのコンバータ（ＲＦ・ＤＣコンバータ）３０８を含んでおり、またＤＣ・ＤＣ変換器３１０を含んでいる。ＲＦ・ＤＣコンバータ３０８は、受信アンテナ３０４で受け取られたＲＦエネルギー信号を非交流電力に整流し、他方、ＤＣ・ＤＣ変換器３１０は、整流されたＲＦエネルギー信号を装置３５０と適合するエネルギー・ポテンシャル（例えば電圧）に変換する。部分整流器および全整流器、レギュレータ、ブリッジ、ダブラー、線形および切替え変換器を含む様々なＲＦ・直流変換器が企図されている。
【００２３】
受信回路３０２は、さらに、受信アンテナ３０４を電力変換回路３０６に接続するための、または電力変換回路３０６を切断するための切替え回路３１２を含み得る。受信アンテナ３０４を電力変換回路３０６から切断することは、装置３５０の充電を一時停止するだけでなく、より完全に下に説明されるように送信器２００（図２）から「見た」「負荷」を変化させる。上に開示されているように、送信器２００は、送信器電力増幅器２１０に提供されるバイアス電流の変動を検出する負荷検知回路２１６を含んでいる。したがって、送信器２００は、受信器が送信器の近距離場内に位置しているときを決定するための機構を有する。
【００２４】
受信回路３０２は、さらに、受け取られたエネルギーの変動を特定するために使用される信号検出器およびビーコン回路３１４を含んでいる。これらは、送信器から受信器までの情報シグナリング（signaling、伝達）に相当し得る。さらに、シグナリングおよびビーコン回路３１４は、減じられたＲＦ信号エネルギー（すなわちビーコン信号）の送信を検出しかつ減じられたＲＦ信号エネルギーを受信回路３０２を無線充電に向けて構成するために受信回路３０２内の電力供給されていない回路または電力供給抑制されている回路を起こす（awake）ための公称電力へ整流するために使用されてもよい。
【００２５】
受信回路３０２は、本明細書において記述されている切替え回路３１２の制御を含めて、本明細書において記述されている受信器３００の諸工程の調整のためのプロセッサ３１６をさらに含んでいる。また、受信器３００のクローキング（遮蔽、croaking）は、装置３５０に充電電源を提供する外部有線充電源（例えば壁／ＵＳＢ電力）の検出を含む他のイベントの発生時に起こり得る。プロセッサ３１６は、また、受信器のクローキングの制御に加えて、ビーコン状態を決定するとともに送信器から送信されたメッセージを抽出するためにビーコン回路３１４を監視し得る。プロセッサ３１６は、また、改善された性能を目指してＤＣ・ＤＣ変換器３１０を調整し得る。
【００２６】
本明細書において開示されている様々な例示的実施形態は、無線充電に向けて構成されてかつ各受信アンテナのループ導電体と電子デバイス内のあらゆる導電性構成要素との間に隙間（clearance）（すなわち物理的分離）をもたらすような方法で電子デバイス内に統合されるように構成されている１または複数の無線受信アンテナに関する。したがって、その隙間は、磁界がループ導電体の周囲において存在することを可能にし得る回避経路（escape path）を提供し得る。本明細書において参照されている「回避経路」が、あらゆる構成要素の空き領域空間内に存在し得ること、非導電性材料（例えばプラスチック）から構成される領域内に存在し得ること、またはそれらをあらゆる形で組合せたものの中に存在し得ることに注意されたい。さらに、様々な例示的実施形態に従って、本明細書において記述されている無線受信アンテナが既存の電子デバイスにレトロフィットされるように構成されるか、その初期のデザインおよび製造の一部として作製され得ることに注意されたい。
【００２７】
例として、一例示的実施形態によれば、無線受信アンテナは、無線受信アンテナのループ導電体が、その統合時に、関連する無線受信アンテナの減衰していないＱ値が約４を超える因数（factor）で悪化するのを防ぐのに十分な距離で電子デバイス内の各導電性構成要素から離されるように電子デバイス内に統合され得る。別の言い方をすれば、無線受信アンテナの減衰していないＱ値は、電子デバイス中への統合時の無線受信アンテナのＱ値の実質的に４倍を越えていないべきである。因数４を超えるＱ値の劣化は、アンテナと少なくとも１つの導電性構成要素との間の分離距離が不適当であることを示し得ることに注意されたい。
【００２８】
別の例示的な実施形態によれば、無線受信アンテナは、無線受信アンテナのループ導電体が、その統合時に、関連する無線受信アンテナの減衰していないＱ値を約２の因数で悪化させるのに十分な距離で電子デバイス中の各導電性構成要素から離されるように電子デバイス内に統合され得る。別の言い方をすれば、無線受信アンテナの減衰していないＱ値は、電子デバイス中への統合時の無線受信アンテナのＱ値より実質的に２倍超であるべきである。より具体的かつ非制限的な例として、無線受信アンテナのループ導電体は、電子デバイス中に統合され、電子デバイス内の各導電性構成要素から少なくとも約１〜２ミリメートル離され得る。
【００２９】
本明細書において記述されている無線受信アンテナが電気的に小さなアンテナを具備し得ることに注意されたい。当業者によって理解されるように、電気的に小さなアンテナは、動作波長よりはるかに小さな最大幾何学的寸法を有するアンテナである。電気的に小さなアンテナは、ラジアン球のごく一部分に収まることが可能なアンテナとして定義され得る。ラジアンスフィアは、以下のように定義された半径ｒｍａｘの球体である。
【００３０】
(1)              ｒｍａｘ＝ｌ／ｋ＝λ／２π＝ｃ／２πｆ＝ｄｍａｘ／２
ここで、ｋは波数であり、ｌは波長であり、ｃは光速であり、ｆは周波数であり、ｄｍａｘはラジアン球の直径である。
【００３１】
図５は、例示的実施形態に従った、少なくとも１つの統合された無線受信アンテナを有する電子デバイス５００の簡略化された断面図を描いている。電子デバイス５００は任意の電子デバイス、例えばあくまで例として携帯電話、携帯型メディア・プレイヤー、カメラ、ゲーム機、ナビゲーション装置、ヘッドセット（例えばＢｌｕｅｔｏｏｔｈ（登録商標）ヘッドセット）、ツール、玩具、あるいはそれらの任意の組合せ、を具備し得る。電子デバイス５００は第１面５１０および第２面５０８を含み得る。それらは金属フレームを含み得る。さらに、電子デバイス５００は、無線受信アンテナのループ導電体５０２を含んでいる。ループ導電体５０２は充電可能（chargeable）バッテリ５０４を無線充電するように構成されており、バッテリ５０４に動作可能に結合され得る。バッテリ５０４は金属筐体を含み得る。
【００３２】
図５に図示されているように、ループ導電体５０２は、第１面５０８および充電可能バッテリ５０４の各々と離されており、その間に隙間５０６を有している。本明細書において使用されている文言「隙間」は、空スペース、非導電性構成要素を具備するスペース、またはそれらの任意の組合せを具備し得る。図５に描かれている例において、隙間５０６の一部は、ループ導電体５０２と充電可能バッテリ５０４との間に位置する空スペース５０５を含んでいる。さらに、隙間５０６の別の部分はループ導電体５０２と第１面５０８との間に位置する空スペース５１１を含んでいる。したがって、隙間５０６は、ループ導電体５０２に関連しかつ隣接し得る磁界のための回避経路を提供し得る。具体的には、このように構成されている電子デバイス５００は、ループ導電体５０２の全周囲（entirely around）に回避経路を提供し得る。上述のように、ループ導電体５０２に隣接する回避経路は、磁界がループ導電体５０２の周囲において存在することを可能にし、したがって関連する無線受信アンテナの機能が強化され得る。さらに、導電性構成要素（すなわち充電可能バッテリ５０４、第２面５０８、またはその両方）に起因するループ導電体５０２に隣接しかつ関連する磁界に対するあらゆる悪影響が制限され得る。
【００３３】
無線受信アンテナは、無線受信アンテナのループ導電体５０２が、その統合時に、無線受信アンテナの減衰していないＱ値が約４を超える因数で悪化するのを防ぐのに十分な距離で第１面５０８および充電可能バッテリ５０４の各々から離されるように電子デバイス５００中に統合され得ることに注意されたい。別の言い方をすれば、無線受信アンテナの減衰していないＱ値は、電子デバイス５００中への統合時の無線受信アンテナのＱ値の実質的に４倍を超えていないべきである。より具体的かつ非制限的な例として、ループ導電体５０２は、電子デバイス５００中に統合され、充電可能バッテリ５０４から約１〜２ミリメートル離され得る。
【００３４】
図６は、例示的実施形態に従った、少なくとも１つの統合された受信アンテナを有する別の電子デバイス６００の簡略化された断面図を描いている。図５に描かれている電子デバイス５００と同様に、電子デバイス６００は、第１面６１０および第２面６０８を含んでいる。それらは金属フレームを含み得る。さらに、電子デバイス５００は、無線受信アンテナのループ導電体６０２を含んでいる。ループ導電体６０２は充電可能バッテリ６０４を無線充電するように構成されており、バッテリ６０４に動作可能に結合され得る。バッテリ６０４は金属筐体を含み得る。さらに、電子デバイス６００は構成要素６０９を含んでいる。構成要素６０９は、ループ導電体６０２の一部に隣接し、非導電性材料から構成されている。
【００３５】
図６に図示されているように、ループ導電体６０２は充電可能バッテリ６０４から離されており、その間に隙間６０６が位置している。具体的には、隙間６０６の一部はループ導電体６０２と充電可能バッテリ６０４との間に位置する空スペース６０５を含んでいる。したがって、充電可能バッテリ６０４によって引き起こされるループ導電体６０２に隣接しかつ関連する磁界に対するあらゆる悪影響が制限され得る。
【００３６】
また、隙間６０６の別の部分は構成要素６０９の一部を具備し得ることに注意されたい。上述のように、磁界が非導電性部分内および周囲に存在し得るので、構成要素６０９はループ導電体６０２に関連しかつ隣接する磁界に悪影響を及ぼさないかもしれない。したがって、隙間６０６は、ループ導電体に関連しかつ隣接し得る磁界のための回避経路を提供し得る。具体的には、このように構成されている電子デバイス６００は、ループ導電体６０２の全周囲に回避経路を提供し得る。上述のように、ループ導電体６０２に隣接する回避経路は、磁界がループ導電体６０２の周囲において存在することを可能にし、したがって関連する無線受信アンテナの機能が強化され得る。
【００３７】
さらに、無線受信アンテナは、無線受信アンテナのループ導電体６０２が、その統合時に、無線受信アンテナの減衰していないＱ値が約４を超える因数で悪化するのを防ぐのに十分な距離で充電可能バッテリ６０４から離されるように電子デバイス６００中に統合され得ることに注意されたい。別の言い方をすれば、無線受信アンテナの減衰していないＱ値は、電子デバイス６００中への統合時の無線受信アンテナのＱ値の実質的に４倍を越えていないべきである。より具体的かつ非制限的な例として、ループ導電体６０２は、電子デバイス６００中に統合され、充電可能バッテリ６０４から約１〜２ミリメートル離され得る。
【００３８】
図７は、例示的実施形態に従った、少なくとも１つの統合された受信アンテナを有する電子デバイス７００のさらなる別の例の簡略化された断面図を描いている。上記の電子デバイス５００および６００と同様に、電子デバイス７００は第１面７１０および第２面７０８を含んでいる。それらは金属フレームを含み得る。さらに、電子デバイス７００は、無線受信アンテナのループ導電体７０２を含んでいる。ループ導電体７０２は充電可能バッテリ７０４を無線充電するように構成されており、バッテリ７０４に動作可能に結合され得る。バッテリ７０４は金属筐体を含み得る。さらに、電子デバイス７００は構成要素７０９を含んでいる。構成要素７０９は、ループ導電体７０２の一部に隣接し、非導電性材料から構成されている。
【００３９】
図７に描かれているように、ループ導電体７０２は充電可能バッテリ７０４および第２面７０８から離されており、その間に隙間７０６が位置している。具体的には、隙間７０６の一部はループ導電体７０２と充電可能バッテリ７０４との間に位置する空スペース７０５を含んでいる。さらに、隙間７０６の別の部分は、ループ導電体７０２と第２面７０８との間に位置する空スペース７１１を含んでいる。その結果、充電可能バッテリ７０４、第２面７０８、または両方に起因する、ループ導電体７０２に隣接しかつ関連する磁界に対するあらゆる悪影響が制限され得る。
【００４０】
また、隙間７０６の別の部分は構成要素７０９の一部を具備し得ることに注意されたい。上述のように、磁界が非導電性部分内および周囲に存在し得るので、ループ導電体７０２に隣接しかつ関連する磁界は構成要素７０９によって悪影響を受けないかもしれない。したがって、隙間７０６は、ループ導電体７０２に関連しかつ隣接し得る磁界のための回避経路を提供し得る。上述のように、ループ導電体７０２に隣接する回避経路は、磁界がループ導電体７０２の周囲において存在することを可能にし、したがって関連する無線受信アンテナの機能が強化され得る。具体的には、このように構成されている電子デバイス７００は、ループ導電体７０２の全周囲に回避経路を提供し得る。
【００４１】
さらに、無線受信アンテナは、無線受信アンテナのループ導電体７０２が、その統合時に、無線受信アンテナの減衰していないＱ値が約４を超える因数で悪化するのを防ぐのに十分な距離で第２面７０８および充電可能バッテリ７０４の各々から離されるように電子デバイス７００中に統合され得ることに注意されたい。別の言い方をすれば、無線受信アンテナの減衰していないＱ値は、電子デバイス７００中への統合時の無線受信アンテナのＱ値の実質的に４倍を越えていないべきである。 より具体的かつ非制限的な例として、ループ導電体７０２は電子デバイス７００中に統合され、充電可能バッテリ７０４から約１〜２ミリメートル離され得る。
【００４２】
図８は、例示的実施形態に従った、少なくとも１つの統合された受信アンテナを有する電子デバイス５７０の断面図を図示している。電子デバイス５７０はディスプレイ装置５７４を含んでいる。ディスプレイ装置５７４は、キーボード（図示せず）およびディスプレイ領域を囲む金属フレームを具備し得る。電子デバイス５７０はまた、プリント回路基板５７８に隣接する電子モジュール５７６を含んでいる。それらは、各々導電性材料を含み得る。また、電子デバイス５７０は、金属筐体を有するバッテリ５８０、および様々な導電性構成要素を含み得るＲＦ電子およびアンテナ・モジュール５８２を含んでいる。さらに、電子デバイス５７０は、金属筐体を有するカメラ５８４を含んでいる。
【００４３】
図８に図示されているように、無線受信アンテナのループ導電体５７２は、無線充電するように構成されており得、ループ導電体５７２と電子デバイス５７０内の各導電性構成要素との間に位置する隙間５８６を含むように電子デバイス５７０内に統合され得る。したがって、隙間５８６は、ループ導電体５７２に隣接して存在し得る磁界のための回避経路を提供し得る。上述のように、ループ導電体５７２に隣接する回避経路は、磁界がループ導電体５７２の周囲において存在することを可能にし、したがって関連する無線受信アンテナの機能を強化し得る。具体的には、このように構成されている電子デバイス５７０は、ループ導電体５７２の全周囲に回避経路を提供し得る。さらに、１つまたは複数の導電性構成要素によって引き起こされる、ループ導電体５７２に隣接しかつ関連するする磁界に対するあらゆる悪影響が制限され得る。
【００４４】
さらに、無線受信アンテナは、無線受信アンテナのループ導電体５７２が、その統合時に、無線受信アンテナの減衰していないＱ値が約４を越える因数で悪化するのを防ぐのに十分な距離で電子デバイス５７０内の各導電性構成要素から離されるように電子デバイス５７０中に統合され得ることに注意されたい。別の言い方をすれば、無線受信アンテナの減衰していないＱ値は、電子デバイス５７０中への統合時の無線受信アンテナのＱ値の実質的に４倍を越えていないべきである。より具体的かつ非制限的な例として、ループ導電体５７２は、電子デバイス５７０中に統合され、各導電性構成要素から少なくとも約１〜２ミリメートル離され得る。
【００４５】
図９は、例示的実施形態に従った、少なくとも１つの統合された受信アンテナを有する別の電子デバイス６７０の断面図を図示している。電子デバイス６７０はディスプレイ装置６７４を含んでいる。ディスプレイ装置６７４は、キーボード（図示せず）およびディスプレイ領域を囲む金属フレームを具備し得る。電子デバイス６７０はまた、プリント回路基板６７８に隣接する電子モジュール６７６を含んでいる。それらは、各々導電性材料を含み得る。また、電子デバイス５７０は、金属筐体を有するバッテリ５８０、および様々な導電性構成要素を含み得るＲＦ電子およびアンテナ・モジュール５８２を含んでいる。さらに、電子デバイス６７０は、金属筐体を有するカメラ６８４を含んでいる。さらに、電子デバイス６７０は構成要素６８８を含んでいる。構成要素６８８は無線受信アンテナ６７２に隣接し、非導電性材料から構成されている。
【００４６】
図９に図示されているように、無線受信アンテナのループ導電体６７２は、無線充電するように構成されており、ループ導電体６７２と電子デバイス６７０内の各導電性構成要素との間に位置する隙間６８６を含むように電子デバイス６７０内に統合され得る。別の言い方をすれば、ループ導電体６７２は、隙間６８６の一部によって電子デバイス６７０内の各導電性構成要素から離されている。その結果、電子デバイス６７０内の１つまたは複数の導電性構成要素によって引き起こされる、ループ導電体６７２に隣接しかつ関連する磁界に対するあらゆる悪影響が制限され得る。
【００４７】
また、隙間６８６の別の部分は構成要素６８８の一部を具備し得ることに注意されたい。上記のように、磁界は非導電性構成要素内および周囲に存在し得、したがって、構成要素６８８はループ導電体６７２に隣接している磁界に悪影響を及ぼさないかもしれない。したがって、隙間６８６は、ループ導電体に関連しかつ隣接し得る磁界のための回避経路を提供し得る。具体的には、このように構成されている電子デバイス６００は、ループ導電体６７０の全周囲に回避経路を提供し得る。上述のように、ループ導電体５０２に隣接する回避経路は、磁界がループ導電体５０２の周囲において存在することを可能にし、したがって関連する無線受信アンテナの機能を強化し得る。
【００４８】
さらに、無線受信アンテナは、無線受信アンテナのループ導電体６７２が、その統合時に、無線受信アンテナの減衰していないＱ値が約４を超える因数で悪化するのを防ぐのに十分な距離で電子デバイス６７０内の各導電性構成要素から離されるように電子デバイス６７０中に統合され得ることに注意されたい。別の言い方をすれば、無線受信アンテナの減衰していないＱ値は、電子デバイス５７０中への統合時の無線受信アンテナのＱ値の実質的に４倍を越えていないべきである。より具体的かつ非制限的な例として、ループ導電体６７２は電子デバイス６７０中に統合され、各導電性構成要素から少なくとも約１〜２ミリメートル離され得る。
【００４９】
図１０は、例示的実施形態に従った、統合されかつ無線充電するように構成されている少なくとも１つの受信アンテナを有する電子デバイス８００の簡略化された平面図を図示している。電子デバイス８００は外面８０３を含み得る。外面８０３は金属フレームを具備し得る。さらに、電子デバイス８００は、無線受信アンテナのループ導電体８０２を含んでいる。ループ導電体８０２は充電可能バッテリ８０４に動作可能に結合され得る。バッテリ８０４は金属筐体を含み得る。図示されているように、ループ導電体８０２は電子デバイス８００内に統合されており、隙間８０６によって充電可能バッテリ８０４および外面８０３の各々から離されている。例として、ループ導電体８０２は、電子デバイス８００中に統合され、その統合時に、関連する無線受信アンテナの減衰していないＱ値が約４を超える因数で悪化するのを防ぐのに十分な距離で外面８０３および充電可能バッテリ８０４の各々から離され得る。別の言い方をすれば、無線受信アンテナの減衰していないＱ値は、電子デバイス８００中への統合時の無線受信アンテナのＱ値の実質的に４倍を越えていないべきである。より具体的かつ非制限的例として、ループ導電体８０２は電子デバイス８００中に統合され、充電可能バッテリ８０４および外面８０３から約１〜２ミリメートル以上、離され得る。
【００５０】
したがって、隙間８０６は、ループ導電体８０２に隣接しかつ関連し得る磁界のための回避経路を提供し得る。具体的には、このように構成されている電子デバイス８００は、ループ導電体８０２の全周囲に回避経路を提供し得る。上述のように、ループ導電体８０２に隣接する回避経路は、磁界がループ導電体８０２の周囲において存在することを可能にし、したがって関連する無線受信アンテナの機能を強化し得る。また、外面８０３、充電可能バッテリ８０４、または両方によって引き起こされる、ループ導電体８０２に隣接しかつ関連する磁界に対するあらゆる悪影響が制限され得る。
【００５１】
図１１は、例示的実施形態に従った、統合されかつ無線充電するように構成されている少なくとも１つの無線受信アンテナを有するさらに別の電子デバイス９００の簡略化された平面図を描いている。上記の電子デバイス８００と同様に、電子デバイス９００は外面９０３を含み得る。外面９０３は金属フレームを具備し得る。また、電子デバイス９００は、無線受信アンテナのループ導電体９０２をさらに含んでいる。ループ導電体９０２は充電可能バッテリ９０４に動作可能に結合され得る。バッテリ９０４は金属筐体を含み得る。さらに、電子デバイス９００は構成要素９０９を含んでいる。構成要素９０９は、ループ導電体９０２に隣接し、非導電性材料から構成されている。
【００５２】
図１１に図示されているように、ループ導電体９０２は電子デバイス９００内に統合され、隙間９０６の一部によって外面９０３から離され得る。したがって、外面９０３によって引き起こされる、ループ導電体９０２に隣接しかつ関連する磁界に対するあらゆる悪影響が制限され得る。例として、ループ導電体９０２は、電子デバイス９００中に統合され、その統合時に、関連する無線受信アンテナに減衰していないＱ値が約４を超える因数で悪化するのを防ぐのに十分な距離で外面９０３から離され得る。別の言い方をすれば、無線受信アンテナの減衰していないＱ値は、電子デバイス９００中への統合時の無線受信アンテナのＱ値の実質的に４倍を越えていないべきである。より具体的かつ非制限的な例として、ループ導電体９０２は電子デバイス９００中に統合され、外面９０３から約１〜２ミリメートル離され得る。
【００５３】
さらに、隙間９０６の別の部分は構成要素９０９の一部を具備し得ることに注意されたい。したがって、このように構成されている電子デバイス９００は、ループ導電体９０２の全周囲に回避経路を提供し得る。上述のように、ループ導電体９０２に隣接する回避経路は、磁界がループ導電体９０２の周囲において存在することを可能にし、したがって関連する無線受信アンテナの機能を強化し得る。
【００５４】
図１２は、例示的な実施形態に従った、少なくとも１つの統合された受信アンテナを有する電子デバイス５５０についての様子を描いている。電子デバイス５５０はディスプレイ装置５５４を含んでいる。ディスプレイ装置５５４は、キーボード（図示せず）およびディスプレイ領域を囲む金属フレームを具備し得る。電子デバイス５５０はまた、プリント回路基板５５８に隣接する電子モジュール５５６を含んでいる。それらは、各々導電性材料を含み得る。また、電子デバイス５５０は、金属筐体を有するバッテリ５６０、および様々な導電性構成要素を含み得るＲＦ電子およびアンテナ・モジュール５６２を含んでいる。さらに、電子デバイス５５０は、金属筐体を有するカメラ５６４を含んでいる。
【００５５】
図１３は、電子デバイス５５０についての別の様子を図示している。図１２および図１３の各々に図示されているように、無線受信アンテナのループ導電体５５２は、電子デバイス５５０内の各導電性構成要素から物理的に離されている（すなわち、隙間が存在する）。具体的には、隙間は、ループ導電体５５２と、カメラ５６４、バッテリ５６０、およびＲＦ電子およびアンテナ・モジュール５６２の各々との間に存在する。したがって、この間隔は、ループ導電体５５２に隣接して存在する磁界のための回避経路（矢印５６４によって図示されている）を提供し得る。このように構成されている電子デバイス５５０は、ループ導電体５５２の全周囲に回避経路を提供し得ることに注意されたい。上述のように、ループ導電体５５２に隣接する回避経路は、磁界がループ導電体５５２の周囲において存在することを可能にし、したがって関連する無線受信アンテナの機能が強化され得る。
【００５６】
例として、無線受信アンテナは、無線受信アンテナのループ導電体５５２が、その統合の際に、無線受信アンテナの減衰していないＱ値が約４を超える因数で悪化するのを防ぐのに十分な距離で電子デバイス５５０内の各導電性構成要素から離されるように電子デバイス５５０中に統合され得る。別の言い方をすれば、無線受信アンテナの減衰していないＱ値は、電子デバイス５００中への統合時の無線受信アンテナのＱ値の実質的に４倍を越えていないべきである。より具体的かつ非制限的な例として、ループ導電体５５２は電子デバイス５００中に統合され、各導電性構成要素から約１〜２ミリメートル以上離され得る。
【００５７】
図１４は、無線受信アンテナのループ導電体７８２および導電性構成要素７８４を含んだ電子デバイス７８０の簡略化された例示である。例えば、導電性構成要素７８４は、金属筐体を有する充電式電池を具備し得る。図１４に図示されているように、ループ導電体７８２は、導電性構成要素７８４から、その間の隙間７８６を有する距離Ｌによって離されている。非制限的な例として、距離Ｌは約１〜２ミリメートルの範囲を有し得る。さらに、隙間７８６は、例えば、空スペース、非導電性構成要素、またはそれらの任意の組合せを含み得る。したがって、隙間７８６は、ループ導電体７８２に関連する磁界のための回避経路（矢印７８８によって描かれている）を提供し得る。その結果、ループ導電体７８２に隣接しかつ関連する磁界に対するあらゆる悪影響が制限され得る。
【００５８】
無線受信アンテナは、無線受信アンテナのループ導電体７８２が、その統合時に、無線受信アンテナの減衰していないＱ値が約４を超える因数で悪化するのを防ぐのに十分な距離で導電性構成要素７８４から離されるように電子デバイス７８０中に統合され得ることに注意されたい。別の言い方をすれば、無線受信アンテナの減衰していないＱ値は、電子デバイス７８０中への統合時の無線受信アンテナのＱ値の実質的に４倍を越えていないべきである。
【００５９】
図１５は、例示的実施形態に従った、方法のフローチャートを図示している。方法７００は、本明細書において記述されている様々な構造によってサポートされる。方法７００は、少なくとも１つの無線受信アンテナを電子デバイス中に統合するステップ７０２を含んでいる。方法７００は、さらに、少なくとも１つのアンテナのループ導電体を電子デバイス内の各導電性構成要素から離すステップ７０４を含んでいる。
【００６０】
図１５は、例示的な実施形態に従った、別の方法のフローチャートを図示している。方法７０５は、本明細書において記述されている様々な構造によってサポートされる。方法７０５は、電子デバイス内に統合されかつ電子デバイス内の各導電性構成要素から離されているループ導電体を有する少なくとも１つの受信アンテナにおいて無線電力を受け取るステップ７０６を含んでいる。方法７０５は、さらに、少なくとも１つの受信アンテナからそれに結合されている少なくとも１つの充電可能バッテリに電力を伝送するステップ７０８含んでいる。
【００６１】
図１７Ａおよび図１７Ｂは、例示的実施形態に従った、電子デバイス中への統合に向けて構成されている無線受信アンテナの１回巻きループ導電体６５０を図示している。１回巻きループ導電体６５０は、ワイヤまたはリボン６５２、例として銅線または銅製リボンを具備し得る。１つの例示的実施形態によれば、リボン６５２は、銀メッキを有する銅製リボンを具備し得る。さらに、図１７Ｂに図示されているように、１回巻きループ導電体６５０はキャパシタ６５４および端子６５６を含んでいる。図１７Ａを参照すると、非制限的な例として、１回巻きループ導電体６５０は、約４４．０ミリメートルの幅Ａ、約８９．０ミリメートルの高さＢを有し得、リボン６５２は約３．０ミリメートルの幅Ｃを有し得る。さらに、１回巻きループ導電体６５０は、リボン６５２の両端の間の間隔Ｆを有し得、間隔Ｆは単なる例として約１．０ミリメートルであり得る。間隔Ｆは、キャパシタ、例として図１７Ａに図示されているようなキャパシタ６５４、を配置するように構成され得る。
【００６２】
図１８Ａは、例示的実施形態に従った、電子デバイス中への統合に向けて構成されている無線受信アンテナの多巻きループ導電体６６０を図示している。図示されているように、多巻きループ導電体６６０は、複数のワイヤまたはリボン６６２具備し得る。ワイヤまたはリボン６６２の各々は、単なる例として銅を含み得る。さらに、非制限的な例として、多巻きループ導電体６６０は、約４７ミリメートルの幅Ｄおよび約８９ミリメートルの高さＥを有し得る。また、図１８Ｂに図示されているように、各ワイヤ６６２は幅Ｗを有し得、ワイヤ６６２同士は距離Ｘによって離されており得、隣接する配線６６２同士は中心・中心間距離Ｚを有し得る。「ルールオブサム（経験則、rules of thumb）」に従って、距離Ｘは、幅Ｗと実質的に等しく、中心・中心間距離Ｚは実質的に距離Ｘの値の２倍であり得る。単なる例として、幅Ｗおよび距離Ｘは各々約０．８ミリメートルであり得る。さらに、この例の場合、中心・中心間距離Ｚは約１．６ミリメートルであり得る。
【００６３】
当業者は、制御情報および信号が様々な相違する科学的方法および技術のうちの任意のものを使用して表わされ得ることを理解するだろう。例えば、上記の記述の全体にわたって言及され得るデータ、命令、コマンド、情報、信号、ビット、シンボルおよびチップは、電圧、電流、電磁波、磁場または磁性粒子、光電場または光粒子、あるいはそれらの任意の組合せによって表わされ得る。
【００６４】
当業者は、さらに、本明細書において開示されている実施形態との関連で記述されている様々な例証用の論理ブロック、モジュール、回路、およびアルゴリズム・ステップが、電子回路ハードウェアとして実現され、コンピュータ・ソフトウェアによって制御され、または両方の組合せであり得ることを認識するであろう。このハードウェアとソフトウェアの互換性を明らかにするために、概して、様々な例証用の要素、ブロック、モジュール、回路、およびステップは、それらの機能の観点で上に記述された。そのような機能がハードウェアとしてまたはソフトウェアとして実現および制御されるかは、適用形態およびシステム全体に課されている具体的な設計制約に依存する。当業者は、記述されている機能を個々の具体的な適用形態向けの様々な形で実現し得、そのような実現形態を決定することは本発明の例示的実施形態の範囲からの逸脱を引き起こすものと解釈されるべきでない。
【００６５】
本明細書において開示されている実施形態との関連で記述されている様々な例証用の論理ブロック、モジュール、回路は、汎用プロセッサ、ディジタル信号プロセッサ（ＤＳＰ）、特定用途向けＩＣ（ＡＳＩＣ）、フィールドプログラマブルゲートアレイ（ＦＰＧＡ）、または本明細書において記述されている機能を行なうように設計されている他のプログラム可能論理回路、ディスクリート型ゲートまたはトランジスタロジック、ディスクリート型ハードウェア構成機器またはそのあらゆる組合せによって制御され得る。汎用プロセッサはマイクロプロセッサであり得、または、汎用プロセッサは任意の従来のプロセッサ、コントローラ、マイクロコントローラ、あるいはステートマシンであり得る。プロセッサは、コンピュータ装置、例えばＤＳＰとマイクロプロセッサの組合せ、複数のマイクロプロセッサ、ＤＳＰコアと協働する１つ以上のマイクロプロセッサ、または任意の他のそのような構成、の組合せとして実現され得る。
【００６６】
本明細書において開示されている実施形態との関連において記述されている方法またはアルゴリズムの制御ステップは、ハードウェアで直接、プロセッサによって実行されるソフトウェア・モジュールで、またはこれら２つの組合せで具現さ得る。ソフトウェア・モジュールは、ランダム・アクセス・メモリ（ＲＡＭ）、フラッシュ・メモリ、読み取り専用メモリ（ＲＯＭ）、電気的プログラム可能ＲＯＭ（ＥＰＲＯＭ）、電気的消去可能プログラマブルＲＯＭ（ＥＥＰＲＯＭ）、レジスタ、ハード・ディスク、取外し可能ディスク、ＣＤ−ＲＯＭ、あるいは当技術において既知の記憶媒体のあらゆる他の形態内に存在し得る。例示的な記憶媒体は、プロセッサがこの記録媒体から情報を読み出し、この記録媒体に情報を書き込めるように、該プロセッサに接続されている。または、記憶媒体はプロセッサと一体化されていてもよい。プロセッサと記憶媒体はＡＳＩＣ内に存在していてもよい。ＡＳＩＣはユーザ端末内に存在し得る。または、プロセッサと記憶媒体はユーザ端末のディスクリート部品として存在し得る。
【００６７】
１つまたは複数の例示的な実施形態において、記述されている制御機能は、ハードウェア、ソフトウェア、ファームウェア、またはそれらのあらゆる組合せにおいて実現され得る。ソフトウェアにおいて実現される場合、関数は１つまたは複数の指示またはコードとして、コンピュータ可読媒体上で格納または送信され得る。コンピュータ可読媒体は、コンピュータ記憶装置媒体、およびコンピュータ・プログラムのある位置から別の位置への移動を容易にするあらゆる媒体を含む通信媒体、の両方を含んでいる。記憶媒体は、コンピュータによってアクセスされることが可能なあらゆる利用可能な物理的媒体であり得る。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶装置、または命令またはデータ構造の形態の所望のプログラム・コードを運ぶか格納するために使用されることが可能で且つコンピュータによってアクセスされることが可能な他のあらゆる媒体を具備し得る。また、あらゆる接続も当然、コンピュータ可読媒体と称される。例えば、ソフトウェアが、同軸ケーブル、光ファイバーケーブル、撚線対、ディジタル加入者線（ＤＳＬ）、または赤外線、無線およびマイクロ波のような無線技術を使用して、ウェブサイト、サーバ、または他の遠隔ソースから送信される場合、この同軸ケーブル、光ファイバーケーブル、撚線対、ＤＳＬ、または赤外線、無線およびマイクロ波のような無線技術は、媒体の定義に含まれている。本明細書において使用されているディスク（ｄｉｓｋ）とディスク（ｄｉｓｃ）は、コンパクト・ディスク（ＣＤ）、レーザーディスク（登録商標）、光ディスク、ディジタル多用途ディスク（ＤＶＤ）、フロッピー（登録商標）・ディスクおよびブルーレイ・ディスクを含んでいる。ここで、ディスク（ｄｉｓｋ）は通常磁気的にデータを再生し、他方、ディスク（ｄｉｓｃ）はレーザーでデータを光学的に再生する。上記のものの組合せもコンピュータ可読媒体の範囲内に含まれるべきである。
【００６８】
上に開示されている例示的実施形態の記述は、あらゆる当業者が本発明を実行または使用することを可能にするために提供されている。これらの例示的実施形態に対する様々な修正は当業者にとって容易に明らかになり、また、本明細書において定義されている包括的な原理は、発明の思想または範囲から逸脱することなく他の実施形態に適用され得る。
【００６９】
したがって、本発明は、本明細書において示されている実施形態に制限されることを意図されておらず、本明細書において開示されている原理および新規な特徴と一貫している最も広い範囲と一致するべきである。
以下に、本願出願の当初の特許請求の範囲に記載された発明を付記する。
［Ｃ１］
電子デバイス内に統合されかつ無線送信アンテナから無線電力を受け取るように構成されている少なくとも１つの受信アンテナを具備し、
前記少なくとも１つの受信アンテナのループ導電体は前記電子デバイス内の各導電性構成要素から離されて構成されており、その間に、前記ループ導電体の周囲での磁界の形成を可能にするように適合されている隙間を有する、電子デバイス。
［Ｃ２］
前記少なくとも１つの受信アンテナの前記ループ導電体が、１回巻きループ導電体および多巻きループ導電体の一方を具備する、
Ｃ１の電子デバイス。
［Ｃ３］
前記少なくとも１つの受信アンテナの前記ループ導電体が、前記電子デバイス内の充電可能バッテリから離されて構成されている、
Ｃ１の電子デバイス。
［Ｃ４］
前記少なくとも１つの受信アンテナの前記ループ導電体が、非導電性構成要素に隣接している、
Ｃ１の電子デバイス。
［Ｃ５］
前記隙間が、空スペース、非導電性構成要素、またはそれらの任意の組合せを具備する、
Ｃ１の電子デバイス。
［Ｃ６］
前記少なくとも１つの受信アンテナの前記ループ導電体が、関連する無線受信アンテナのＱ値が前記無線受信アンテナの前記電子デバイス中への統合時に約４を超える因数で悪化するのを防ぐのに十分な距離で各導電性構成要素から離されている、
Ｃ１の電子デバイス。
［Ｃ７］
前記少なくとも１つの無線受信アンテナのループ導電体が、関連する無線受信アンテナのＱ値を前記無線受信アンテナの前記電子デバイス中への統合時に少なくとも約２の因数で悪化させるのに十分な距離で各導電性構成要素から離されている、
Ｃ１の電子デバイス。
［Ｃ８］
前記少なくとも１つの無線受信アンテナのループ導電体が、関連する無線受信アンテナのＱ値が前記無線受信アンテナの前記電子デバイス中への統合時に少なくとも約２の因数で約４の因数以下で悪化させるのに十分な距離で各導電性構成要素から離されている、
Ｃ１の電子デバイス。
［Ｃ９］
前記少なくとも１つの受信アンテナのループ導電体が、各導電性構成要素から少なくとも約１〜２ミリメートル離されている、
Ｃ１の電子デバイス。
［Ｃ１０］
無線送信アンテナから無線電力を受け取るように構成されている少なくとも１つの無線受信アンテナを具備し、
前記少なくとも１つの受信アンテナのループ導電体は、前記ループ導電体と関連する磁界がループ導電体の全周囲において存在することを可能にするようにデバイス内に位置するように構成されている、装置。
［Ｃ１１］
前記ループ導電体が、非導電性構成要素の近くに位置するように構成されている、
Ｃ１０の装置。
［Ｃ１２］
前記磁界が、前記非導電性構成要素内に存在する、
Ｃ１１の装置。
［Ｃ１３］
前記ループ導電体が各導電性構成要素から離されて構成されており、その間に少なくとも隙間の一部を有する、
Ｃ１０の装置。
［Ｃ１４］
少なくとも１つの無線受信アンテナを電子デバイス中に統合することと、
前記少なくとも１つのアンテナのループ導電体の周囲での磁界の形成を可能にすることと、
を具備する、電子デバイス中に受信アンテナを統合する方法。
［Ｃ１５］
磁界が前記少なくとも１つのアンテナのループ導電体の周囲において存在することを可能にすることが、前記ループ導電体を前記電子デバイス内の各導電性構成要素から離すことを具備する、
Ｃ１４の方法。
［Ｃ１６］
ループ導電体を離すことが、前記ループ導電体を、関連する無線受信アンテナのＱ値が前記関連する無線受信アンテナの前記電子デバイス中への統合時に約４を超える因数で悪化するのを防ぐのに十分な距離で前記電子デバイス内の各導電性構成要素から離すことを具備する、
Ｃ１５の方法。
［Ｃ１７］
非導電性構成要素を前記ループ導電体に隣接して位置させることをさらに具備する、
Ｃ１４の方法。
［Ｃ１８］
前記少なくとも１つのループ導電体を前記電子デバイス内の各導電性構成要素から離すことが、前記ループ導電体を充電可能バッテリからその間の約１〜２ミリメートルの距離で離すことを具備する、
Ｃ１４の方法。
［Ｃ１９］
前記ループ導電体に隣接して磁界の形成を可能にすることが、前記ループ導電体の全周囲において磁界の形成を可能にすることを具備する、
Ｃ１４の方法。
［Ｃ２０］
電子デバイス中に統合されかつ前記電子デバイス内の各導電性構成要素から離されているループ導電体を有する少なくとも１つの受信アンテナにおいて無線電力を受け取ることと、
前記少なくとも１つの受信アンテナからそれに結合されている少なくとも１つの充電可能バッテリに電力を伝送することと、
を具備する、電子デバイスを充電する方法。
［Ｃ２１］
ループ導電体を有する少なくとも１つの受信アンテナにおいて無線電力を受け取ることが、関連する無線受信アンテナのＱ値が前記関連する無線受信アンテナの前記電子デバイス中への統合時に約４を超える因数で悪化するのを防ぐように各導電性構成要素から離されているループ導電体を有する少なくとも１つの受信アンテナにおいて無線電力を受け取ることを具備する、
Ｃ２０の方法。
［Ｃ２２］
電子デバイス内に統合されかつ前記電子デバイス内の各導電性構成要素から離されているループ導電体を有する少なくとも１つの受信アンテナにおいて無線電力を受け取るための手段と、
前記少なくとも１つの受信アンテナからそれに結合されている少なくとも１つの充電可能バッテリに電力を伝送するための手段と、
を具備する、充電可能デバイスの充電を促進する方法。
［Ｃ２３］
無線送信アンテナから無線電力を受け取るように構成されている少なくとも１つの無線受信アンテナを具備し、
前記少なくとも１つの無線受信アンテナは、さらに、磁界が前記少なくとも１つの無線受信アンテナのループ導電体の周囲において存在することを可能にするように電子デバイス中での統合に向けて構成されている、システム。
［Ｃ２４］
少なくとも１つの無線受信アンテナの前記ループ導電体が、前記電子デバイスの少なくとも１つの非導電性構成要素の近くに位置する、
Ｃ２３のシステム。
［Ｃ２５］
前記少なくとも１つの無線受信アンテナの前記ループ導電体が、それに最も近い導電性構成要素から約１〜２ミリメートル離されている、
Ｃ２３のシステム。
［Ｃ２６］
前記少なくとも１つの無線受信アンテナが、前記ループ導電体の全周囲での磁界の形成を可能にするように、前記電子デバイス中での統合に向けてさらに構成されている、
Ｃ２３のシステム。
【図１】
0006138733.tif 000002
【図２】
0006138733.tif 000003
【図３】
0006138733.tif 000004
【図４】
0006138733.tif 000005
【図５】
0006138733.tif 000006
【図６】
0006138733.tif 000007
【図７】
0006138733.tif 000008
【図８】
0006138733.tif 000009
【図９】
0006138733.tif 000010
【図１０】
0006138733.tif 000011
【図１１】
0006138733.tif 000012
【図１２】
0006138733.tif 000013
【図１３】
0006138733.tif 000014
【図１４】
0006138733.tif 000015
【図１５】
0006138733.tif 000016
【図１６】
0006138733.tif 000017
【図１７Ａ】
0006138733.tif 000018
【図１７Ｂ】
0006138733.tif 000019
【図１８Ａ】
0006138733.tif 000020
【図１８Ｂ】
0006138733.tif 000021